(57)【特許請求の範囲】
【請求項１】
情報通信体の製造工程中で実施され、ピントラクタからなる搬送手段が配備された搬送工程により搬送される、単位シートが縦方向に連接されてなる長尺シートを、刃物を装着したダイカットローラとバックアップローラからなる切断手段が配備された切断工程により、連続的に、単位シート毎に所定の天地辺の位置でカットするようにした長尺シートのカット方法であって、
カット実行位置の調整作業として、前記切断工程における回転するダイカットローラとバックアップローラの間を通過する長尺シートに対して前記ダイカットローラに装着した刃物で単位シート毎のカットが実行される位置で前記ダイカットローラを停止させる第一ステップと、前記状態の下に、前記切断工程の上流側で前記切断手段と同調した搬送手段上で待機する長尺シートの単位シートにおける天地辺の位置を、前記カットが実行される位置で停止している前記刃物の位相と一致する前記搬送手段又は搬送工程の所定の箇所に固定する第二ステップとを予め実施し、前記カット実行位置の調整後に、前記切断手段及びそれと同調した搬送手段を連続的に稼動させることを特徴とする長尺シートのカット方法。
【請求項２】
前記第一ステップにおいて、前記ダイカットローラ又はダイカットローラの回転と同調した軸にスリット板を設置し、前記ダイカットローラの刃物が、カットが実行される位置に来た瞬間を、前記スリット板の窓を介して光電センサで読み取ると共に前記ダイカットローラを電気的に停止させるようにした請求項１に記載の長尺シートのカット方法。
【請求項３】
前記第二ステップにおいて、前記カットが実行される位置から、前記ダイカットローラの上流側へ単位シートの長さの任意の倍数の距離だけ離れた前記搬送手段又は搬送工程の所定の位置に基準線を施し、該基準線に、前記長尺シートの単位シートにおける天地辺の位置を固定するようにした請求項１に記載の長尺シートのカット方法。
【発明の詳細な説明】
【技術分野】
【０００１】
本発明は、長尺シートを使用した帳票類、ハガキ、封書等の情報通信体の製造工程中で実施される長尺シートのカット方法に関する。詳しくは、本発明は、情報通信体の製造工程中で実施され、単位シートが連接された長尺シートに対して、単位シート毎のカットが実行される位置を容易にセットできる長尺シートのカット方法に関する。
【背景技術】
【０００２】
従来、前記長尺シートを使用した情報通信体の製造方法として、例えば特開平５−３８８９４号公報に記載されている「密着書簡の連続製造装置」がある。
このものは、情報通信体を連続的に製造する装置であり、その工程中で長尺シートを単位シートの長さに切断する単位フォーム用切断部にダイカットローラを使用している。
【先行技術文献】
【特許文献】
【０００３】
【特許文献１】特開平５−３８８９４号公報
【発明の概要】
【発明が解決しようとする課題】
【０００４】
前記製造方法では、無造作に長尺シートを製造工程へ流せば済むものではない。作業の前準備として、長尺シートを構成する単位シートの天地に合わせて正確にカットするためのカットが実行される位置調整を行う必要がある。そうしないと、例えば単位シートの中間でカットされた不良の単位シートが連続的に生産されてしまう。ところで、現状におけるカットが実行される位置調整の具体的な方法は、長尺シートをセットした後に始めの１枚の単位シートを無造作にカットする。そうすると天地からずれた位置でカットされた単位シートを１枚得ることができる。その後前記ずれた位置でカットされた単位シートを単位フォーム用切断部上流にある搬送テーブル上に待機している長尺シートと位相を揃えて平行に並べてみる。そして前記ずれた位置でカットされた単位シートと長尺シートのカットが実行される位置の誤差を確認する。その後ダイカットローラを停止させておいて長尺シートのみを前後させ、正しくカットされると思われる位置に設定する。そして新たに１枚をカットして、既述の調整により単位シートが正確に天地でカットされているかを確認する。このような操作を数回繰り返して正しいカットが実行される位置を探り出しているのである。
【０００５】
従って、正しいカットが実行される位置を探り当てるまでに大量のカット不良を発生させてしまうのであるが、カット不良の中に例えばプリンタ等で個人の住所や各種金額等の秘密情報等が記載されていた場合に、再度プリントアウトを行い製造する必要があり、そのため余分な労力が必要になる。また、プライバシーに関してミスを犯すと厳しく追及される昨今、失敗した情報通信体の取り扱いにも最新の注意が必要になり、依頼を受けた顧客にデータと共に不良品を返却してはじめて信頼を保つことができるが、その際に大量の不良品を返却するようでは信用を失墜することになりかねない。
【０００６】
本発明は、情報通信体の製造工程中において、前記カットが実行される位置調整による大量のカット不良品の発生をなくし、素人でも容易に短時間でカットが実行される位置調整をすることにより、長尺シートを連続的に、単位シート毎に所定の天地辺の位置で正確にカットすることができる長尺シートのカット方法を提供することを目的としている。
【課題を解決するための手段】
【０００７】
上記目的を達成するために、本発明に係る長尺シートのカット方法は、情報通信体の製造工程中で実施され、ピントラクタからなる搬送手段が配備された搬送工程により搬送される、単位シートが縦方向に連接されてなる長尺シートを、刃物を装着したダイカットローラとバックアップローラからなる切断手段が配備された切断工程により、連続的に、単位シート毎に所定の天地辺の位置でカットするようにした長尺シートのカット方法であって、
カット実行位置の調整作業として、前記切断工程における回転するダイカットローラとバックアップローラの間を通過する長尺シートに対して前記ダイカットローラに装着した刃物で単位シート毎のカットが実行される位置で前記ダイカットローラを停止させる第一ステップと、前記状態の下に、前記切断工程の上流側で前記切断手段と同調した搬送手段上で待機する長尺シートの単位シートにおける天地辺の位置を、前記カットが実行される位置で停止している前記刃物の位相と一致する前記搬送手段又は搬送工程の所定の箇所に固定する第二ステップとを予め実施し、前記カット実行位置の調整後に、前記切断手段及びそれと同調した搬送手段を連続的に稼動させることを特徴としている。
【０００８】
本発明が適用されるシステムは、ダイカットローラに装着した刃物が回転すると長尺シートが同調して前進する。詳しくは、カットが実行される位置で停止していた刃物が回転して続いて次のカットが実行される位置まで回転すると、長尺シートが丁度単位シートの長さだけ同調して前進するように、ダイカットローラの径や長尺シートの移動距離が設計されている。従って、ダイカットローラに装着した刃物がカットを実行する位置でシステムを停止させ、そして単位シートの天側の辺で正確にカットされた長尺シートの前端部を、前記刃物の位置から単位シートの整数倍の長さ離れた位置に予め設置しておけば、ダイカットローラの回転と同調して長尺シートが切断工程へ搬送されると、該長尺シートは、必然的に単位シートの天地辺において、カットが実行される位置と合致すると共に該天地辺で正確にカットされることになる。
【０００９】
ところで、前記第一ステップに沿って前記ダイカットローラの刃物を回転させ、バックアップローラと接触して長尺シートをカットする位置に設定することは人手で可能である。例えば手動でダイカットローラを回転させ、バックアップローラに刃物が接触する際に「コツン」と発する接触音でカットが実行される位置が認識できる。従って、前記音を確認すると同時に回転を止めればよい。そして既述の通り、前記第二ステップに沿って長尺シートの単位シートの天地辺（長尺シートの中間の単位シートの天地辺でも構わない。ミシン目等で区画されているため確認できる）を切断工程の上流側に設置されているピントラクタ等の搬送手段の所定の位置に固定すれば、搬送手段とダイカットローラの両者は同調して作動するため、そのまま両者を稼動することにより前記長尺シートは連続的に単位シート毎に正確にカットされる。
【００１０】
なお、前記第一ステップでは、スリット板とセンサの組み合わせにより、作業の開始に当たり、任意の位置で停止しているダイカットローラを回転させ、自動的に刃物を所定のカットが実行される位置へ回転移動させる原点復帰手段を用いても構わない。
【００１１】
即ち、例えば、ダイカットローラの回転軸や前記回転軸と同調している他の回転軸等にスリット板等を取り付けておいて、刃物が、カットが実行される位置に来た瞬間をセンサ等で読み取って、電気的に停止させても構わない。このように電気的に所定の位置で停止するようにしておけば、ボタンを一度押すだけで自動的に回転して所定のカットが実行される位置へ原点復帰して停止するため極めて正確であると共に至便である。
また、エンコーダ等により電気的にダイカットローラに装着された刃物の回転位置を捕捉して、バックアップローラとの接触点、即ち長尺シートのカットが実行される位置で停止するように設定しておけば至便である。
【００１２】
また、前記第二ステップでは、長尺シートの搬送手段や搬送工程の途上に前記原点復帰した刃物と位相を揃えるためのマーク等を施しておいても構わない。
【００１３】
即ち、ピントラクタ等の搬送手段或いは搬送工程の所定の位置（そのままダイカットローラへ送り込むと、回転する刃物が丁度単位シートの天地辺をカットする位置、換言すれば刃物を基点とした単位シート長さの整数倍の距離離れた位置）に目印を施しておけば、前記第一ステップによりダイカットローラを停止させた後に、前記目印に合わせて単位シートの天地辺（ミシン目等で区分されているため明確に確認できる）の位置を固定することにより、極めて容易に長尺シートのカットが実行される位置を設定することができる。
換言すれば、切断工程の上流側の長尺シート搬送工程中に、前記カットが実行される刃物位置（単位シートの天地辺がカットされる位置）から逆算して単位シートの天地辺で丁度カットする位置（距離）にマークしておけば、前記手順でダイカットローラを所定の位置に回転させた後に、前記マークに合わせて、長尺シートを構成する単位シートの天地辺の位置（ミシン目等で容易に確認できる）をセットするだけで正確に単位シート毎のカットができ、極めて至便である。
【発明の効果】
【００１４】
前記のように、本発明に係る長尺シートのカット方法によれば、情報通信体の製造工程中において、前記カットが実行される位置調整の作業の繰り返しによる大量のカット不良品の発生をなくし、作業開始の当初から不良品を１枚も発生させることなく、素人でも容易に短時間でカットが実行される位置調整をすることにより、長尺シートを連続的に、単位シート毎に所定の天地辺の位置で正確にカットすることができる。
また、前記第一ステップにおいて、前記ダイカットローラ又はダイカットローラの回転と同調した軸にスリット板を設置し、前記ダイカットローラの刃物が、カットが実行される位置に来た瞬間をセンサで読み取ると共に該ダイカットローラを電気的に停止させるようにしたものでは、ボタンを一度押すだけで自動的に回転して所定のカットが実行される位置へ原点復帰して停止するため極めて正確であると共に至便である。
さらに、前記第二ステップにおいて、前記ダイカットローラの刃物が、該ダイカットローラとバックアップローラの間を通過する長尺シートをカットする位置から、前記ダイカットローラの上流側へ単位シートの長さの任意の倍数の距離だけ離れた位置に基準線を施し、該基準線に、前記長尺シートの単位シートにおける天地辺の位置を固定するようにしたものでは、前記第一ステップの後に、前記基準線に合わせて、長尺シートを構成する単位シートの天地辺をセットするだけで、正確に単位シート毎のカットができるので至便である。
【図面の簡単な説明】
【００１５】
【図１】（Ａ）及び（Ｂ）は二つ折りハガキの単位シートｔが連接された長尺シートＳの表面図及び裏面図である。
【図２】本発明が適用される切断工程を説明する要部概略図である。
【図３】単位シートｔの先端部で正確にカットした長尺シートＳを示す平面図である。
【図４】（Ａ）、（Ｂ）及び（Ｃ）は、本発明の原理を時系列で示す要部概略図である。
【図５】（Ａ）及び（Ｂ）は本発明の実施例を具体的に示す要部概略図である。
【図６】第一ステップにおいて電気的操作を使用した場合の要部概略図である。
【図７】（Ａ）、（Ｂ）及び（Ｃ）は従来の長尺シートのカット方法におけるカットが実行される位置の調整過程を示す要部概略図である。
【発明を実施するための形態】
【００１６】
以下、本発明の実施の形態を図面に基づいて具体的に説明する。
図１は情報通信体で最も基本的な二つ折りハガキの長尺シートを表す。同図（Ａ）に示すように長尺シートＳは、第一葉片１と第二葉片２が折線３（ミシン目、折筋、見当線或いは何もなし）を介して横方向に連接された単位シートｔが、ミシン目からなる切取線４を介して縦方向に連接されている。そして第一葉片１及び第二葉片２の外側には切取線５（ミシン目、折筋、見当線或いは何もなし）を介してマージナル孔６を設けたマージナル部分７が連接している。
【００１７】
第一葉片１表面には郵便切手欄や郵便番号欄及び受取人の住所氏名等が記載され、第二葉片２表面には宣伝広告等の一般情報が記載されている。また同図（Ｂ）に示すように、第一葉片１及び第二葉片２裏面には秘密を要する個人情報が記載されている。なお前記個人情報は必ずしも秘密を要するものである必要はなく、一般情報のみが記載されていてもよく、或いは一般情報と個人情報が混在していても構わない。
【００１８】
前記長尺シートＳは、アングル等の図示されない折畳み装置を通過して、各葉片の裏面同士を対向させて折線３から二つ折りに折り畳まれる。前記二つ折りに折り畳まれた長尺シートＳは図２に示すようにピントラクタ１１により下流のダイカットローラ１４とバックアップローラ１６間へ搬送されるが、途中でマージナル部分７をスリッタ１２ａ、１２ｂにより切除されると共にニップローラ１３ａ、１３ｂを通過してダイカットローラ１４へ送り込まれる。そしてダイカットローラ１４で、半回転すると単位シートｔの距離回転するよう装着された２箇所の刃物１６で、１回転毎に単位シートが２枚カットされる流れで連続的にカットしていくのである。
なお、前記対向葉片間には図２に示す流れの中で、ピントラクタ１１に至るまでに図示されない公知の疑似接着媒体が介装され、さらに図示されない下流の工程により前記ダイカットローラ１４により断裁された単位シートｔは前記疑似接着媒体を介して全体として剥離可能に一体化されるのである。
【００１９】
［従来の切断工程による長尺シートのカット方法］
従来の方法では、前記疑似接着媒体を介して二つ折りに折り畳まれた長尺シートＳ（図では便宜上長尺シートＳと疑似接着媒体共に１層で表している）を、図７（Ａ）に示すように、折り畳んで重なり合ったマージナル孔６、６を停止しているピントラクタ１１のピンと無造作に合致させ固定する。なおこのときのダイカットローラ１４の停止位置は分からない（即ち刃物１６の位置が分からない）。また、長尺シートＳの先端部Ｔは無造作にカットされているため、単位シートｔの如何なる位置でカットされているかも分からない。
【００２０】
そして同図（Ｂ）に示すように、手動により長尺シートＳを前進させ、下流のスリッタ１２ａ、１２ｂにより前記重なり合ったマージナル部分７、７を切り落としながら下流のニップローラ１３ａ、１３ｂに引き込まれるまで送り込む。このときダイカットローラ１４とバックアップローラ１５はピントラクタ１１と同調して回転する。
【００２１】
前記長尺シートＳは、さらに前記ニップローラ１３ａ、１３ｂから、下流のダイカットローラ１４とバックアップローラ１５間へ搬送されるのであるが、前記ダイカットローラ１４に装着されている刃物１６は、定められた周期（単位シートｔの長さに相当）で、通過する長尺シートＳをカットするため、無造作に送り込まれた長尺シートＳは思い通りの位置でカットされず、同図（Ｃ）に示すように、単位シートｔの天地の辺からずれた位置でカットが開始される。
【００２２】
ここで作業者は無造作にカットされたシートを取り出し、いずれの位置でカットされているか、即ち正しいカットが実行される位置からどの程度ずれているかを確認して、本来正しくカットされるべき単位シートｔの天地辺の位置と、現在刃物１６によりカットされている位置との誤差Ｚを確認し、その上でダイカットローラ１４とピントラクタ１１との同調を切り離し、ピントラクタ１１のみを勘に頼り前後に移動させて再度長尺シートＳをカットする。このような作業を数回繰り返して誤差Ｚをなくし正確なカットが実行される位置を探り当てるのである。
【００２３】
［本発明の切断工程による長尺シートのカット方法］
まず本発明の原理から説明する。
図４（Ａ）に示すように、刃物１６がバックアップローラ１５に接触する位置（通過する長尺シートＳのカットが実行される位置）に来た時に、移動する単位シートｔの天地辺が刃物１６の位置にあることにより、初めて正確な位置でのカットが実行される。
【００２４】
換言すればこの位置に図３に示す状態の長尺シートＳの先端部Ｔ（単位シートｔの天側の辺に相当）を図４（Ａ）のように突き当てると、同図（Ｂ）及び（Ｃ）に示すように、後続の単位シートｔは天地辺の位置で必ずカットされることになる。従って、予めこの単位シートｔの天地辺の位相に合わせて長尺シートＳをピントラクタ１１に固定しておけば、長尺シートＳは必然的に単位シートｔの天地辺でカットされることになる。
【００２５】
次に、本発明に係る長尺シートのカット方法におけるカットが実行される位置調整過程を具体的に説明する。
図５（Ａ）に示すように、最初にダイカットローラ１４を回転させて、刃物１６がバックアップローラ１５と接触する位置、即ち通過する長尺シートＳのカットを実行する位置に停止させる。
次に単位シートｔの天側の辺で予め正確にカットされた長尺シートＳ（図３参照）を図５（Ａ）に示すようにピントラクタ１１にセットする。この際、先端部Ｔを、カットが実行される位置で停止した刃物１６に長尺シートＳの先端部Ｔを突き当てた場合、後続の単位シートｔの天地辺が位置する場所（この場合３番目の単位シートｔの天辺）に合わせて予めマークしておいた基準線Ｍに合わせる。
【００２６】
前記基準線Ｍの位置は図５（Ａ）及び（Ｂ）に二点差線で区切った単位シートｔ同士の境目で、カットが実行される位置に停止した刃物１６に、長尺シートＳの先端部Ｔを突き当てた際に、長尺シートＳを構成する後続の単位シートｔの天地辺の何れかが該当する位置である。従って、この状態でシステムを稼動すれば、ダイカットローラ１４はピントラクタ１１と同調して回転し、丁度各単位シートｔの天地辺がダイカットローラ１４によりカットが実行される位置に差し掛かった時に、図５（Ｂ）に示すように、刃物１６により正確にカットが行われるのである。
【００２７】
なお、本発明では、長尺シートＳの先端部Ｔを、前記基準線Ｍ以外の図５（Ａ）及び（Ｂ）に示す他の一点鎖線で示す位置に配置しても、同様の原理で正確にカットできることになる。また予め先端部Ｔで正確にカットしていなくても、長尺シートＳを構成する任意の単位シートｔ同士の境目（単位シートｔの天地辺に相当）を、前記何れかの一点鎖線部分と合致させて配置すれば、最初の一枚を除いて正確にカットすることが可能になる。
【００２８】
図６はダイカットローラ１４の軸にスリット板２０を取り付けたものである。このスリット板２０には窓２１が形成されており、刃物１６がバックアップローラ１５と接触する位置を前記窓２１とセンサ２２の組み合わせで感知して電気的に停止させるのである。このようにしておけば手動による場合よりも、正確且つ簡単に刃物１６の位置設定ができる。
なお、スリット板２０は必ずしもダイカットローラ１４の軸に取り付ける必要はなく、ダイカットローラ１４と同調して回転する軸であれば構わない。
【符号の説明】
【００２９】
Ｓ  長尺シート
ｔ  単位シート
Ｔ  端部
Ｍ  基準線
１、２  葉片
３  折線
４、５  切取線
６  マージナル孔
７  マージナル部分
１１  ピントラクタ
１２  スリッタ
１３、１７  ニップローラ
１４  ダイカットローラ
１５  バックアップローラ
１６  刃物
２０  スリット板
２１  窓
２２  光電センサ
【図１】
0005798739.tif 000002
【図２】
0005798739.tif 000003
【図３】
0005798739.tif 000004
【図４】
0005798739.tif 000005
【図５】
0005798739.tif 000006
【図６】
0005798739.tif 000007
【図７】
0005798739.tif 000008